(57)【特許請求の範囲】
【請求項１】
下流側管状部を有する逆止弁収納体の内壁に環状係合凹部を設けてなり、該逆止弁収納体に逆止弁を収納した後、更に上流側管状部を有する逆止弁固定用蓋体を嵌合してなり、該逆止弁固定用蓋体の外周には、前記環状係合凹部と係合し得る環状突起を有する、平板状逆止弁を有する逆止弁ハウジングにおいて、
前記逆止弁は、反撥弾性率が３０〜８０％を有する弾性部材からなる円板状であって、下流側面が長方形スリットを中央部に有する平面からなり、上流側面が平面部と方形の凹部からなり、更に前記下流側面の平面と上流側面の平面部にそれぞれ環状気密用突部を有し、かつ前記長方形スリットは貫通孔からなると共に、該貫通孔は、方形の凹部の底に連通しており、該方形の凹部は、前記底に向かって傾斜している傾斜部を有する逆止弁からなり、
前記逆止弁固定用蓋体の先端部は、前記逆止弁の凹部の傾斜部の傾斜に対応した傾斜を有するテーパー部を有し、
前記逆止弁の収納は、前記逆止弁収納体の収納部に逆止弁が下流側に長方形スリットを設けた平面が向くように、かつ逆止弁をその直径方向に対して圧縮下に配置し、更に前記逆止弁収納体の収納部に上流側から逆止弁固定用蓋体を挿入した後、該蓋体の先端部のテーパー部で前記方形の凹部の傾斜部を押圧して密着させると共に、前記逆止弁収納体の内壁に有する環状係合凹部に前記逆止弁固定用蓋体の外周に有する環状突起を係合して収納した逆止弁を固定し、更に前記逆止弁収納体は、前記長方形スリットの貫通孔に面してスペースを有していることを特徴とする逆止弁ハウジング。
【請求項２】
下流側管状部にはロックリングを係合し得る係合部を有することを特徴とする請求項１に記載の逆止弁ハウジング。
【発明の詳細な説明】
【技術分野】
【０００１】
本発明は、平板状逆止弁を有する逆止弁ハウジングに関し、更に詳しくは本発明は、血液回路、輸液セット等の医療用具又は機器に使用する平板状逆止弁を有する逆止弁ハウジングに関するものである。
【背景技術】
【０００２】
従来、逆止弁は、液流の逆流を防止するために管路間に介在させて使用するものであり、各種のものが開示されまた各種用途、例えば、血液回路、輸液セット等の医療用具又は機器等に使用されている。近年、このような逆止弁が開示されているが、具体的には、ダックビルタイプ、アンブレラタイプ、ボールとゴム板の併用、フート弁等が知られている。またこのような逆止弁を使用した例ではダックビル型逆止弁が主流である。このダックビル型逆止弁は、輸液セットや輸血セットに混注管を介して薬液を注入する際、シリンジの先端に接続した混注具で、前記混注口のゴム栓に穿刺することにより行う。この混注具には、除菌フィルターと逆止弁が内臓されているため、薬液注入後にシリンジを取り外しても液漏れや菌の侵入を防止することができる（特許文献１参照）。
【特許文献１】特願２００３−３３９８７６（段落０００２、段落０００５、段落０００７）
【発明の開示】
【発明が解決しようとする課題】
【０００３】
しかしながら、従来のダックビルタイプを始めとしてアンブレラタイプ、ボールとゴム板の併用、フート弁等の逆止弁は、いずれも液の逆流を完全には防止することができない場合があるばかりか個々の製品におけるバラツキが出やすいという問題がある。特にダックビルタイプは、逆流しやすい傾向にある。更に従来の逆止弁のうち、ダックビルタイプ、アンブレラタイプ、フート弁等の逆止弁は圧力調整をすることができない場合が多く、構造が複雑かつ加工も複雑であるという更なる問題があった。そこで、本発明者等は、上記問題点について、種々検討した結果、構造が簡単でかつ製作し易く、量産が可能で、しかも完全に逆流防止ができると共に弾性体の厚さ方向及び外周方向から押圧するだけで簡単にかつ自由に圧力調整ができる逆止弁が得られることを見出し、しかも該逆止弁を逆止弁ハウジングに押圧下に配置することにより、いっそう優れた上記の効果を奏する逆止弁を収納した、逆止弁ハウジングが得られることを見出し、ここに本発明をなすに至った。
【０００４】
したがって、本発明が解決しようとする課題は、構造が簡単でかつ製作し易く、量産が可能で、しかも完全に逆流防止ができると共に弾性体の厚さ方向及び外周方向から押圧するだけで簡単にかつ自由に圧力調整ができる逆止弁を逆止弁ハウジングに押圧下に配置した平板状逆止弁を有する逆止弁ハウジングを提供することにある。  
【課題を解決するための手段】
【０００５】
本発明の上記課題は、以下の各発明によってそれぞれ達成される。
（１）下流側管状部を有する逆止弁収納体の内壁に環状係合凹部を設けてなり、該逆止弁収納体に逆止弁を収納した後、更に上流側管状部を有する逆止弁固定用蓋体を嵌合してなり、該逆止弁固定用蓋体の外周には、前記環状係合凹部と係合し得る環状突起を有する、平板状逆止弁を有する逆止弁ハウジングにおいて、
前記逆止弁は、反撥弾性率が３０〜８０％を有する弾性部材からなる円板状であって、下流側面が長方形スリットを中央部に有する平面からなり、上流側面が平面部と方形の凹部からなり、更に前記下流側面の平面と上流側面の平面部にそれぞれ環状気密用突部を有し、かつ前記長方形スリットは貫通孔からなると共に、該貫通孔は、方形の凹部の底に連通しており、該方形の凹部は、前記底に向かって傾斜している傾斜部を有する逆止弁からなり、
前記逆止弁固定用蓋体の先端部は、前記逆止弁の凹部の傾斜部の傾斜に対応した傾斜を有するテーパー部を有し、
前記逆止弁の収納は、前記逆止弁収納体の収納部に逆止弁が下流側に長方形スリットを設けた平面が向くように、かつ逆止弁をその直径方向に対して圧縮下に配置し、更に前記逆止弁収納体の収納部に上流側から逆止弁固定用蓋体を挿入した後、該蓋体の先端部のテーパー部で前記方形の凹部の傾斜部を押圧して密着させると共に、前記逆止弁収納体の内壁に有する環状係合凹部に前記逆止弁固定用蓋体の外周に有する環状突起を係合して収納した逆止弁を固定し、更に前記逆止弁収納体は、前記長方形スリットの貫通孔に面してスペースを有していることを特徴とする逆止弁ハウジング。
（２）下流側管状部にはロックリングを係合し得る係合部を有することを特徴とする前記第１項に記載の逆止弁ハウジング。
【発明の効果】
【０００６】
本発明によれば、前記第１項において、下流側管状部を有する逆止弁収納体の内壁に環状係合凹部を設けてなり、該逆止弁収納体に逆止弁を収納した後、更に上流側管状部を有する逆止弁固定用蓋体を嵌合してなり、該逆止弁固定用蓋体の外周には、前記環状係合凹部と係合し得る環状突起を有する、平板状逆止弁を有する逆止弁ハウジングにおいて、
前記逆止弁は、反撥弾性率が３０〜８０％を有する弾性部材からなる円板状であって、下流側面が長方形スリットを中央部に有する平面からなり、上流側面が平面部と方形の凹部からなり、更に前記下流側面の平面と上流側面の平面部にそれぞれ環状気密用突部を有し、かつ前記長方形スリットは貫通孔からなると共に、該貫通孔は、方形の凹部の底に連通しており、該方形の凹部は、前記底に向かって傾斜している傾斜部を有する逆止弁からなり、
前記逆止弁固定用蓋体の先端部は、前記逆止弁の凹部の傾斜部の傾斜に対応した傾斜を有するテーパー部を有し、
前記逆止弁の収納は、前記逆止弁収納体の収納部に逆止弁が下流側に長方形スリットを設けた平面が向くように、かつ逆止弁をその直径方向に対して圧縮下に配置し、更に前記逆止弁収納体の収納部に上流側から逆止弁固定用蓋体を挿入した後、該蓋体の先端部のテーパー部で前記方形の凹部の傾斜部を押圧して密着させると共に、前記逆止弁収納体の内壁に有する環状係合凹部に前記逆止弁固定用蓋体の外周に有する環状突起を係合して収納した逆止弁を固定し、更に前記逆止弁収納体は、前記長方形スリットの貫通孔に面してスペースを有していることにより、逆止弁固定用蓋体の先端の傾斜部は、弾性体の傾斜部で面接触しているため、下流側からの液流に対して反撥弾性抵抗が大きく、したがってスリットの押圧状態が維持されて液流を通過させることがない。即ち、逆止弁固定用蓋体の先端部の押圧部により上流側面の傾斜部を押圧保持されて固定されるので、上流側からの液流の流れには弾性体の弾性によりスリットが開口し抵抗なく該スリットを通過するが、下流側からの流れに対しては傾斜部は押圧保持されており、またスリット部は周囲から押圧保持されているので、スリットは閉口状態を維持し、液流は通過することができない。また反撥弾性率が３０〜８０％を有する弾性部材の厚さ及び外周を押圧するだけで簡単にかつ自由に圧力調整ができるという優れた効果を奏するものである。更に前述のように逆止弁収納体には、収納された逆止弁の貫通孔に面してスペースを有することにより、逆止弁の貫通孔がその付近で弾力時に変形して液流を通すが、その際の変形空間を保持することができるという効果を奏するものである。したがって、このような本発明の構成により完全な逆止弁としての作用、即ち完全に逆流防止ができると共に弾性体の厚さ方向及び外周方向から押圧するだけで簡単にかつ自由に圧力調整ができるという格別顕著な効果を奏するものである。
【０００７】
更に前記逆止弁の収納は、前記逆止弁収納体の収納部に逆止弁が下流側に長方形スリットを設けた平面が向くように、かつ逆止弁をその直径方向に対して圧縮下に配置し、更に前記逆止弁収納体の収納部に上流側から逆止弁固定用蓋体を挿入した後、該蓋体の先端部のテーパー部で前記方形の凹部の傾斜部を押圧して密着させると共に、前記逆止弁収納体の内壁に有する環状係合凹部に前記逆止弁固定用蓋体の外周に有する環状突起を係合して収納した逆止弁を固定し、更に前記逆止弁収納体は、前記長方形スリットの貫通孔に面してスペースを有していることにより、いっそう完全に逆流防止ができると共に弾性体の厚さ方向及び外周方向から押圧するだけで簡単にかつ自由に圧力調整ができるという格別顕著な効果を奏するものである。前記逆止弁固定用蓋体の側面周囲に環状突起を有することにより、固定用蓋体所定位置で確実に固定することができるばかりでなく、液もれがないという優れた効果を奏するものである。更に前記第２項の発明において、下流側管状部にはロックリングを係合し得る係合部を有することにより、治療に際しセットした回路の離脱事故を防ぐことができるという格別顕著な効果を奏するものである。
【発明を実施するための最良の形態】
【０００８】
以下、本発明を図面を用いて具体的に説明するが、本発明は、以下に説明する具体的事例に限定されるものではない。また明細書において、気密とは、気体又は液体が漏れない意味に使用している。図１は、本発明の逆止弁を示す平面図及び断面図である。図１において、逆止弁Ｉは、環状のハウジングに収納するため、円形状の弾性体からなる逆止弁本体１の上流側及び下流側の各表面には中心に対して同芯円状に気密用環状突起４１、４２が形成されている。また中心には貫通孔３を有し、この貫通孔３は下流側の表面には長方形のスリットが形成されるが、この形状は船先形状であってもよい。また上流側の表面には、方形、例えば正方形３１であって、該表面からスリット３に向かって傾斜する傾斜部２を有している（図１のａ参照）。この傾斜部２１、２２はスリットの長手方向の辺に至る。したがって、図１のｂの断面図でみると、傾斜部２１、２２は上流側から下流側へ向かってテーパーを形成している。ここで、弾性体としては、反撥弾性率が３０〜８０％の範囲のものが好ましい。使用される反撥弾性率の範囲は、反撥弾性率と圧縮配置するときの圧縮の度合いとによって個々に決められる。弾性体の好ましい材質としては、合成樹脂が挙げられ、特に好ましくはシリコーン、イソプロピレン、ポリウレタン、アクリロニトリル-ブタジエン系共重合体、フッ素樹脂等である。これらのうち、特に好ましいものは、シリコーン、イソプロピレンである。
【０００９】
図２は、図１の逆止弁をハウジング内に収納した逆止弁ハウジングを示す断面図である。図３は、逆止弁を収納したハウジングの実施の形態の逆止弁ハウジングを示す断面図である。図４は、ロックリングを有する逆止弁ハウジングを示す断面図である。図２において、逆止弁を収納した逆止弁ハウジングＩＩは、逆止弁収納体５及び固定用蓋体６からなる逆止弁ハウジング中に逆止弁本体１が圧縮下に収納されている。即ち、逆止弁本体１の直径は、逆止弁収納体５の直径よりも僅かに大きく形成され、逆止弁収納体５には圧縮して挿入配置される。これによりスリット３は、後述するように、密着した状態で保持される。上流側から流入する気体又は液体の圧力により屈曲し開口され、流通するようになる。該収納体１は、具体的には上流側には傾斜部２１、２２を有する正方形の開口部３１側が、また下流側には長方形のスリット３側がくるように配置収納される。また前記逆止弁収納体５は、下流側管状部７を有すると共に、内部に逆止弁本体１を収納した際、下流側にスペース１３が形成されるように空間部を有している。一方、固定用蓋体６は、該蓋体６の上流側には、上流側管状部８を有し、また蓋体６の前方、即ち下流側には先端部１２を有しており、該先端部１２は、逆止弁本体１の傾斜部２１，２２と実質的に平行な傾斜を有しており、傾斜部２１、２２の表面を押圧する押圧部９を有している。また蓋体６の周囲には環状突起１１を有し、逆止弁収納体５の内壁に設けられた環状係合用凹部１０に嵌合し固定される。本発明では、このような逆止弁ハウジングに収納された逆止弁１は、該ハウジング内で上流側表面及び下流側表面に有する気密用環状突起４１、４２により押圧されて気密が保持されると共に、逆止弁本体１の直径が逆止弁収納体の直径より僅かに大きく形成されているため圧縮された状態で収納されていることによりスリット３は密着又は押圧されて保持されている。このため気体又は液流が上流側から下流側へ流れるときは、逆止弁のスリット部分の弾性は、液圧に屈してひずみを生じ、開口して流通する。これに対して、下流側から上流側へ液流が流れようとするときは、スリット３は傾斜部分により厚みが増すと共に蓋体６の先端部１２により押圧固定されているため、下流側から上流側へは屈曲しない。したがってスリット３は開口することができないので、液流は通過することができない。このように本発明は、逆止弁１の簡単な構造と逆止弁ハウジングにおける逆止弁収納体５と固定用蓋体６の簡単な構造の組み合わせにより従来のものに比して逆流防止に顕著な効果を奏するものである。
【００１０】
図３においては、逆止弁用ハウジングＩＩの、特に下流側環状部からなる回路接続部７と上流側環状部からなる回路接続部８の構造乃至形状を示したもので、図３のａは、回路接続部７、８は、平行環状突起（タケノコ）又は螺旋状ネジ溝１４ａ、１４ｂを有するものからなる。これにより所望の回路の樹脂管（又はパイプ）を確実に接続することができ、途中で管又はパイプが外れることがない。図３のｂでは、回路接続部７、８において、下流側の回路接続部７は、係合部１５を有し、また上流側の回路接続部８は、その端部にフランジ８１を有しており、これらを設けることにより、接続管の接続を容易にし、また接続管が外れることを防止している。図４は、ロックリングを有する例であって、ロックリング１６の内壁にはネジ山７１を有しており、また内壁の端部には、回路接続部７に設けられた突起１５と係合し、挿入固定される。このように設けられたロックリング１６に回路やその他薬液用部材を接続する。
【図面の簡単な説明】
【００１１】
【図１】本発明の逆止弁を示す図面であり、ａは、その平面図であり、ｂは、Ａ-Ｂ線における断面図である。
【図２】本発明の逆止弁を収納した逆止弁ハウジングを示す断面図である。
【図３】図２の逆止弁ハウジングの別形態ａ及びｂを示す断面図である。
【図４】ロックリングを有する逆止弁ハウジングを示す断面図である。
【符号の説明】
【００１２】
１  逆止弁本体
１ａ  蓋体上流側表面
１ｂ  収納体下流側表面
２  開口部の傾斜部
２１、２２  傾斜部
３  スリット
３１  方形（正方形）
４１、４２  気密用環状突起
５  逆止弁収納体
６  固定用蓋体
７  管状部（下流側）
８  管状部（上流側）
９  押圧部
１０  環状係合凹部
１１  環状突起
１２  管先端部
１３  スペース
１４ａ、１４ｂ  タケノコ
１５  係合部
１６  ロックリング
７１  ネジ山
８１  フランジ
Ｉ  逆止弁
ＩＩ  逆止弁ハウジング
【図１】
0004494812.tif 000002
【図２】
0004494812.tif 000003
【図３】
0004494812.tif 000004
【図４】
0004494812.tif 000005